(57)【要約】本発明は喫煙製品のパケット、具体的にはたばこのパケットに関し、喫煙製品を収容するように構成されたパケット本体（２）と、引き出し開口部（１）と、引き出し開口部（１）を密閉するためのパケット蓋（３）とを備え、パケット蓋（３）は案内要素（４、５）の手段によって案内されて、開閉中は２つの旋回軸（６ｂ、７ｂ）の周りをパケット本体（２）に対して旋回できる。【選択図】図１
2013535380.tif 000002
【特許請求の範囲】
【請求項１】
喫煙製品のパケット、具体的には紙巻きタバコのパケットであって、喫煙製品を収容するように構成されたパケット本体（２）と、引き出し開口部（１）と、前記引き出し開口（１）を密閉するためのパケット蓋（３）とを備え、前記パケット蓋（３）は案内要素（４、５）の手段によって案内されて、開閉中に２つの旋回軸（６ｂ、７ｂ）の周りを前記パケット本体（２）に対して旋回できることを特徴とするパケット。
【請求項２】
前記案内要素（４、５）は寸法的に不変であり、それぞれが具体的には前記パケット蓋（３）の各接合部（６ａ、７ａ）の１つおよび前記パケット本体（２）の各接合部（６ｂ、７ｂ）の１つとヒンジ式に接続され、前記パケット蓋（３）の前記接合部（６ｂ、７ｂ）は前記旋回軸（６ｂ、７ｂ）を形成することを特徴とする請求項１に記載のパケット。
【請求項３】
少なくとも１つの前記案内要素（４、５）の前記接合部（６ａ、６ｂ、７ａ、７ｂ）の前記軸は互いに平行で、特に前記旋回軸（６ｂ、７ｂ）は互いに平行であることを特徴とする請求項１または２に記載のパケット。
【請求項４】
立方体形状のパケット本体（２）を備え、前記パケットを閉じると、前記パケット蓋（３）は前記パケット本体（２）の少なくとも４つの外側領域、具体的にはそれらの範囲全体に隣接することを特徴とする請求項１乃至３のいずれか１項に記載のパケット。
【請求項５】
前記第１の案内要素（４）の前記接合部（６ａ、６ｂ）の互いの距離は前記第２の案内要素（５）の前記接合部（７ａ、７ｂ）の互いの距離よりも長くなるように、前記案内要素（４、５）は異なる長さを有することを特徴とする前記請求項１乃至４のいずれか１項に記載のパケット。
【請求項６】
前記第１の案内要素（４）の前記接合部（６ａ、６ｂ）は前記パケット蓋（３）の前記主領域（８）の稜線および／または前記パケット本体（２）の主領域（９ａ）に配置され、および／または前記第２の案内要素（５）の前記接合部（７ａ、７ｂ）は前記パケット蓋（３）の前記主領域（８）の稜線および／または前記パケット本体（２）の主領域（９ｂ）の稜線に配置されることを特徴とする請求項１乃至５のいずれか１項に記載のパケット。
【請求項７】
前記引き出し開口部（１）は前記パケット本体（２）の少なくとも２つの領域に広がることを特徴とする請求項１乃至６のいずれか１項に記載のパケット。
【請求項８】
前記引き出し開口部（１）は実質的に前記パケットの前記主領域（９ａ）に形成され、具体的には前記第１の案内要素（４）の前記接合部（６ｂ）も配置される前記主領域に形成されることを特徴とする請求項１乃至７のいずれか１項に記載のパケット。
【請求項９】
平坦な材料の１枚のブランク（１０）から作られ、前記案内要素（４、５）は前記ブランク（１０）の一部であり、具体的には前記第１の案内要素（４）は前記パケット本体（２）の前記引き出し開口部（１）が切り抜かれた材料領域（１１）から形成され、および／または前記第２の案内要素（５）は前記パケットの側部領域から形成されることを特徴とする請求項１乃至８のいずれか１項に記載のパケット。
【請求項１０】
前記パケット蓋（３）は前記パケット本体（２）に対して９０度旋回できることを特徴とする請求項１乃至９のいずれか１項に記載のパケット。
【発明の詳細な説明】
【技術分野】
【０００１】
本発明は、紙巻きタバコを収容するパケット本体と、パケット本体の引き出し開口部を密閉しパケット本体に対して２つの旋回軸の周りを旋回して開閉可能に案内されるパケット蓋とを備える紙巻きタバコパケットに関する。
【背景技術】
【０００２】
紙巻きタバコパケットは通常は立方体形状を成し、一般に引き出し開口部がパケットの短い側部領域に形成され、パケットの主領域にヒンジ式に接続された蓋手段すなわち開閉すると接合軸の周りを回転する蓋手段によって密閉することができる。
【０００３】
パケットの「主領域」および「側部領域」の用語は、本明細書に用いられているとおり、以下のように理解されるものとする。すなわち、代表的な立方体形状の紙巻きタバコパケットを想像した場合、紙巻きタバコパケットは同じ大きさの２つの対向領域からできた領域を３対含む６つの側部領域から成る。寸法が最大の領域を本明細書では主領域と呼ぶ一方、主領域の長稜に隣接する側部領域を長い側部領域と呼び、主領域の短稜に隣接する側部領域を短い側部領域と呼ぶものとする。
【発明の概要】
【発明が解決しようとする課題】
【０００４】
前述の従前の紙巻きタバコパケットでは、引き出し開口部は上述のように短い側部領域に置かれ、したがって比較的小さい。例えば、タバコをもっと簡易に引き出すために引き出し開口部を広げたい場合、引き出し開口部を紙巻きタバコパケットの他の領域まで広げる必要があり、引き出し開口部を密閉するために蓋をもっと大きくすることになってしまう。そのような蓋を開閉するための接合部の周りに設けると、一般的には開けた紙巻きタバコパケットの寸法は実質的に大きくなる。これは多くの場合望まれない。なぜなら、蓋の寸法が大きいと接合部に対して相対的にてこの腕が長くなり、したがって接合部に作用する力が大きくなり、結果的に接合部が破損することになるからである。
【０００５】
本発明の目的は、引き出し開口部を大きく構成することができ、開けたパケットの寸法を実質的に大きくせず、接合部を破損する恐れも無い紙巻きタバコパケットを提供することである。
【課題を解決するための手段】
【０００６】
この目的は特許請求項１の主題によって解決することができ、従属請求項が本発明の好ましい実施態様を規定する。
【０００７】
本発明によるパケットが紙巻きタバコパケットとの関連で以下に説明されるが、このパケットを、紙巻きタバコをはじめ他の喫煙製品に用いることも同時に考えられる。
【０００８】
本発明による紙巻きタバコパケットは、喫煙製品を収容するように構成されたパケット本体と、引き出し開口部と、引き出し開口部を密閉するためのパケット蓋とを備え、パケット蓋は２つの旋回軸の周りをパケット本体に対して旋回できるように複数の案内要素手段によって案内されて開閉する。
【０００９】
言い換えると、パケット蓋は、パケット本体に対して単一の旋回軸の周りを旋回して従前一般的であったように円運動するのではなく、本発明では、２つの旋回軸の周りをパケット本体に対して旋回して、開閉中は楕円形軌跡に沿って動く。この動作が案内要素によって蓋に強制されるため、蓋は開閉毎にパケット本体に対して所定動作を行う。
【００１０】
好ましい一実施態様によれば、上記の複数の案内要素は寸法的に不変で、それぞれパケット蓋の１つの接合部およびパケット本体の１つの接合部にヒンジ式に接続される。別の言い方をすると、２つの接合部すなわちパケット蓋の１つとパケット本体の１つが、寸法的に不変でありそれぞれの接合部によってパケット本体およびパケット蓋に対して旋回可能である案内要素によって連結される。具体的には、パケット蓋に配置された接合部が回転式接合部として構成される場合、これらの接合軸はパケット蓋の旋回軸と一致するため、パケット蓋の接合部がパケット蓋の旋回軸を形成する。好ましくは、案内要素の全ての接合部は回転式の接合部としておよび／またはヒンジとして形成され、したがって１自由度のみを有する。
【００１１】
異なる接合部の接合軸は多くの異なる方法で相互に配置可能であるが、少なくとも１つの案内要素の接合軸が互いに平行であれば特に好ましい。また、旋回軸が互いに平行に配置されていることも特に好ましく、まとめると全ての接合軸が互いに平行であることが重要である。また各接合軸は好ましくはパケット蓋および／またはパケット本体に対して空間的に固定される。
【００１２】
別の好ましい実施態様によれば、本発明によるパケットは立方体形状のパケット本体を備え、したがって従前から既知の形状を有し、閉じたときにパケット蓋はパケット本体の少なくとも４つの外側領域に隣接でき、好ましくは１つの主領域および３つの隣接側部領域、具体的には２つの長い側部領域および１つの短い側部領域または２つの短い側部領域および１つの長い側部領域に隣接できる。しかし他のどのような構成も同様に考えられ、したがってパケット蓋は、例えばパケット本体の２つの主領域、短い側部領域、および長い側部領域に隣接してもよい。また、パケット蓋がパケット本体の１つ以上の領域の全範囲または一部領域に隣接することも考えられる。しかし特に好ましいのは、パケット蓋の領域がパケット本体の対応する領域の全範囲に隣接することである。またこれによって、閉じたパケットの外観が光学的に閉じられ、かつどの稜線もパケットの側部領域を越えて延びることがない。
【００１３】
本発明の別の好ましい実施態様によれば、２つの案内要素は長さが異なり、第１の案内要素の接合部の互いの距離は第２の案内要素の接合部の互いの距離よりも長い。そのような上記構成の全てが、開閉中のパケット蓋によるパケット本体に相対的な動作に影響し、パケット蓋の領域がパケット本体の領域の広い範囲に広がる場合は以下に示す様に特に必要である。
【００１４】
第１の案内要素の接合部をパケット蓋の主領域の稜線および／またはパケット本体の主領域に配置すること、および／または第２の案内要素の接合部をパケット蓋の主領域の稜線および／またはパケット本体の主領域の稜線に配置することは特に好ましい。パケット本体の主領域の稜線に配置された第２の案内要素の接合部は、具体的にはパケット本体で第１の案内要素の接合部が配置される主領域と対向するパケット本体の主領域に配置することができる。次にパケット蓋を開けると、パケット蓋はパケット本体の反対側の主領域にある旋回軸の周りを旋回し、いわばパケット本体周りを隙間無く動く。この方法の場合、開けたパケットの寸法は閉じたパケットに匹敵するほどで、その広がりは１つの接合軸の周りだけを旋回する蓋を開けた場合よりもかなり小さい。
【００１５】
パケット蓋がパケット本体の少なくとも１つの主領域に当接すれば、この主領域にあって蓋によって密閉される引き出し開口部は、従前可能であったよりも実質的に大きく構成することができる。引き出し開口部をパケット本体の主領域などの領域全体に広げることが考えられるが、パケット本体の領域の一部範囲にだけ広げてもよい。後者の場合、具体的には、引き出し開口部をパケット本体の他の領域にさらに広げることが考えられよう。パケット本体の主領域に構成された引き出し開口部を、例えば主領域に隣接する１つまたは２つの側部領域に広げてもよく、そうすることによってパケット本体によって収容された紙巻きタバコの引き出しが実質的に容易になる。
【００１６】
第１の案内要素の旋回軸は、特に好ましくはパケット本体の主領域に配置され、具体的には引き出し開口部も実質的に構成されている主領域に配置される。ここで「実質的に」とは、主領域の引き出し開口部の「切り抜き」が、パケット本体の他の領域の「切り抜き」よりもより大きいことを意味する。
【００１７】
本発明の１つの大きな利点は、パケット蓋の開く動作がより複雑であるにも関わらず、本発明による紙巻きタバコパケットのブランクは１枚で構成できるため、パケットのブランクに他の付加部品を追加しなくてよいことである。従来の紙巻きタバコパケットのように本発明による紙巻きタバコパケットも平坦な材料好ましくはボール紙から製作することができるが、第１の案内要素を実質的に、引き出し開口部を形成するためにブランクから切り抜かれる材料領域で構成することができる。第２の案内要素もパケットの側部領域すなわち短い側部領域または長い側部領域を形成し、パケットを閉じたときに互いに反対側にあるパケット蓋および／またはパケット本体の主領域の短稜または長稜を接続し、結果的にこれら稜線でヒンジ式に接続することが考えられる。
【００１８】
パケットからの紙巻きタバコの引き出しをさらに容易にするには、パケット蓋の大小の開口角度が考えられるが、パケット蓋をパケット本体に対して９０度旋回するのが好ましい。
【００１９】
本発明の好ましい実施態様を、添付図面を基にさらに詳細に説明する。本発明は、本明細書に示すどの特徴も単独および何らかの適切な組合せで備えることができる。
【図面の簡単な説明】
【００２０】
【図１】本発明の第１の実施態様のブランクを示す図である。
【図２ａ】蓋の開口角度が異なる第１の実施態様によるパケットの斜視図である。
【図２ｂ】蓋の開口角度が異なる第１の実施態様によるパケットの斜視図である。
【図２ｃ】蓋の開口角度が異なる第１の実施態様によるパケットの斜視図である。
【図３ａ】蓋の開口角度が異なる第１の実施態様によるパケットの斜視図である。
【図３ｂ】蓋の開口角度が異なる第１の実施態様によるパケットの斜視図である。
【図３ｃ】第１の実施態様における蓋の開口角度を連続的に示す図である。
【図４】本発明の第２の実施態様のブランクを示す図である。
【図５ａ】蓋の開口角度が異なる第２の実施態様によるパケットの斜視図である。
【図５ｂ】蓋の開口角度が異なる第２の実施態様によるパケットの斜視図である。
【図５ｃ】蓋の開口角度が異なる第２の実施態様によるパケットの斜視図である。
【図６ａ】蓋の開口角度が異なる第２の実施態様によるパケットの斜視図である。
【図６ｂ】蓋の開口角度が異なる第２の実施態様によるパケットの斜視図である。
【図６ｃ】第２の実施態様における蓋の開口角度を連続的に示す図である。
【発明を実施するための形態】
【００２１】
本発明による紙巻きタバコパケットの第１の実施態様のブランクを図１の左側に示す。図面の上部は後でパケット蓋３を形成し、図面のブランク１０の下部はパケット本体２を形成する。まず目に付くのはパケット本体２の領域にある不等辺四角形様の折り込み１１であり、これが後で第１の案内要素４を形成する。この領域は後のパケット本体２の引き出し開口部１の領域でもある。不等辺四角形領域は、後にパケット蓋３と向かい合う主領域９ａに広がっていることがわかる。また、不等辺四角形領域の折り込みに折り稜線６ａを介してつながる小さな領域がパケット本体２の短い側部領域で切り抜かれ（他に指示がない限り）、すなわち引き出し開口部１は主領域９ａおよび隣接する短い側部領域の両方に広がることになる。上記折り稜線は後に第１の案内要素４の旋回軸６ａを形成することになり、後でパケット蓋３に配置される。というのは、短い側部領域の切り抜かれた領域はパケット蓋３の短い側部領域に糊付けされ、パケットを閉じたときに短い側部領域の上部に置かれるからである。
【００２２】
また第１の案内要素４は、主領域９ａに配置される旋回軸６ｂによって接合部でパケット本体２に接続されている。
【００２３】
完成したパケットの主領域９ａに対向して置かれるパケット本体の主領域は領域９ｂによって形成され、パケット本体２に後で配置される第２の案内要素５の接合部７ｂは短稜の１つに形成される。パケットが完成すると、領域５は、パケット本体２の引き出し開口部１の一部が形成される短い側部領域の反対側に置かれる。
【００２４】
後で主領域９ａの残り部分に来る蓋３の主領域８は、第２の案内要素５に接合部７ａを介して接続される。
【００２５】
本発明による紙巻きタバコパケットの第１の実施態様の概略側面図をブランクの右隣に示す。この概略側面図は接合部６ａ、６ｂ、と７ａ、７ｂを含み、前者が第１の案内要素４に割り当てられ、後者が第２の案内要素５に割り当てられる。蓋３に配置された接合部６ａ、７ａが、蓋３の開閉時に動く半径もはっきり示されている。結果的に接合部６ａは接合部７ａより大きい半径上を動くが、それは第１の案内要素４が第２の案内要素５よりも長いという事実の結果である。結果的に蓋３がパケット本体２に対して楕円形の開閉動作をすることになる。
【００２６】
接合部６ｂは蓋３の方向を向くパケット本体２の主領域９ａにあり、その一方接合部７ｂは領域９ａと対向して置かれた領域９ｂに、具体的には第２の案内要素５によって形成された短い側部領域の稜線にあることもわかる。
【００２７】
図２ａ〜２ｃ、３ａおよび３ｂは、本発明の第１の実施態様による紙巻きタバコパケットを開ける工程を示す。蓋３の領域は、パケット本体２の主領域９ａおよび３つの隣接する側部領域に隣接し、蓋３の主領域８はパケット本体２の主領域９ａに隣接する。第２の案内要素５はパケット本体の４番目の短い側部領域の上部に隣接し、その領域全体に広がる。同様に、蓋３の全ての領域もパケット本体２の対応する領域の全範囲に広がる。パケットを簡単に開けられるようにするために蓋の正面の短い側部領域に凹みが設けられ、その中で使用者がパケット本体２を握って保持することができる。
【００２８】
蓋３を開けると、パケット本体２の主領域９ａおよび隣接する短い側部領域の部分領域に広がる引き出し開口部が見える。
【００２９】
第２の案内要素はパケットの「後側」において、蓋３およびパケット本体２の対向する主領域８および９ｂの短稜に蝶番状にそれぞれ接続されており、結果として第２の案内要素５の接合部７ａと７ｂを形成する。同じことが第１の案内要素４にも当てはまり、第１の案内要素４はパケット本体２に接合部６ｂを介して接続されている。接合部６ａは蓋３の主領域８の短稜に、すなわち蓋３の凹んだ握りを備える短い側部領域に主領域８が隣接する稜に置かれる。
【００３０】
パケットを閉じると、第１の案内要素４の不等辺四角形および楕円形の部分領域が、パケット本体２の上記領域の引き出し開口部１用の凹みの中へ正確に挿入されるため、パケット本体２を完全に閉めることができるということが容易に考えられる。
【００３１】
図３ｂでは、蓋３の開口角度が最大角度９０度に到達している。パケットをこれ以上開けることはできない。なぜなら、前もって第２の案内要素が置かれた短い側部領域に蓋３の主領域８が隣接しているからである。
【００３２】
図３ｃはパケットの異なる開口角度を示し、特にパケット蓋３の長い側部領域が、パケットを閉じるとすべての位置で、隣接するパケット本体２の長い側部領域によって案内されていることが分かる。これによって、第１の案内要素４および第２の案内要素５による案内に加えて、開けている途中に蓋３をさらに安定させることができる。また、蓋を開けている途中、蓋３の正面の短い側部領域が、案内要素４、５および旋回軸６ａ、６ｂ、７ａ、７ｂの構成によってパケット本体２から上昇し、同時に蓋３の後面の短い側部領域および／または第２の案内要素５が下降することもわかる。これによって、蓋３の全ての側部領域がパケット本体２の側部領域全体を越えて延びているにも関わらず、蓋３は旋回できる。
【００３３】
図４は本発明の第２の実施態様によるブランクを示し、複数の要素は図１の第１の実施態様と機能的に同一であり、これらについては再度説明しない。
【００３４】
引き出し開口部がパケット本体２の複数領域、即ちパケット本体の長い側部領域および短い側部領域に広がって、パケット本体２に収容された紙巻きタバコを容易に引き出せるようにしていることが分かる。第１の実施態様との本質的な違いは第２の実施態様によるパケットが「横方向」に開くこと、すなわち旋回軸が主領域の長稜に平行であって、第１の実施態様では旋回軸は主領域の短稜に平行である。
【００３５】
図５ａ〜６ｃは図２ａ〜３ｃに示した実施態様と何ら特別な違いはない。しかし、接合部６ｂがパケット本体２の主領域９ａの短稜まで延び、その結果引き出し開口部１がかなり大きくなっていることがわかる。パケット本体の短い側部領域から紙巻きタバコを引き出せるように、引き出し開口部１をさらに広げる追加の凹みがパケット本体の短い側部領域に形成されている。
【図１】
2013535380.tif 000003
【図２ａ】
2013535380.tif 000004
【図２ｂ】
2013535380.tif 000005
【図２ｃ】
2013535380.tif 000006
【図３ａ】
2013535380.tif 000007
【図３ｂ】
2013535380.tif 000008
【図３ｃ】
2013535380.tif 000009
【図４】
2013535380.tif 000010
【図５ａ】
2013535380.tif 000011
【図５ｂ】
2013535380.tif 000012
【図５ｃ】
2013535380.tif 000013
【図６ａ】
2013535380.tif 000014
【図６ｂ】
2013535380.tif 000015
【図６ｃ】
2013535380.tif 000016
【国際調査報告】
2013535380.tif 000017
2013535380.tif 000018
2013535380.tif 000019
2013535380.tif 000020